(57)【要約】      （修正有）【課題】衣服の各種の内容を示す表示項目の他に製造年月日（製造年月）を表示又は記録するプレートを衣服の外部から目視できない部位に縫合又は収納し、製造年月日の抹消やプレートの取り外しを不可能とし、製造年月日等を検知の確実化を図る衣服情報表示記録プレートを提供する。【解決手段】衣服の内容表示に必要な表示項目３と製造年月日（製造年月）２を表示又は記録した衣服情報表示記録プレート１を衣服の外部から目視できない位置で縫直しの出来ない部位、例えば、両玉や片玉の部分に縫合又は収納する。これにより、衣服の製造年月日を確実に検知する事ができる。【選択図】図１
2006146130.tif 000002
【特許請求の範囲】
【請求項１】
衣服の外部より目視不能の部位に縫合又は収納されている表示プレートであって、該表示プレートは、その衣服の内容を特定する表示項目（品質，品番，サイズ，製造元，価格，特徴，使用上の注意等）と共にその製造年月日又は製造年月が表示又は記録されていることを特徴とする衣服情報表示記録プレート。
【請求項２】
前記表示項目が製造年月日又は製造年月が外部より検出可能の手段により形成されるものであることを特徴とする請求項１に記載の衣服情報表示記録プレート。
【請求項３】
前記表示記録プレートがＩＣチップであることを特徴とする請求項１又は２に記載の衣服情報表示記録プレート。
【請求項４】
前記表示記録プレートの衣服への縫合や収納が、衣服の両玉や片玉の如き縫い直し不可能の部位に行われていることを特徴とする請求項１乃至３に記載の衣服情報表示記録プレート。
【発明の詳細な説明】
【技術分野】
【０００１】
本発明は、衣服内に外部より目視不可能に縫合又は収納されているプレートに係り、特に、衣服の内容の表示に必要な表示項目の他にその製造年月日又は製造年月が表示又は記録され、かつその縫合又は収納部位が縫直し不可能の部位に行われている衣服情報表示記録プレートに関する。
【背景技術】
【０００２】
衣服にはその品質，品番，サイズ，製造元，価格等の衣服の内容表示に必要な表示項目を表示するプレートが必ず取付けられることが義務づけされている。一般にこのプレートは下札であり、例えば、図５に示すものが一例として挙げられる。この下札７は台紙８の表面に前記の表示項目３ａを印刷したものからなり、紐９により衣服の適宜の場合に吊下げ固定される。また、この下札の公報文献として例えば、「特許文献１」が挙げられる。このものは図３の下札７の紐９の部分が係止片となっている所に特徴を有するものである。
【特許文献１】特開２００３−１３１５７７（図１）
【発明の開示】
【発明が解決しようとする課題】
【０００３】
前記のように、衣服にはその内容を表示する表示項目を表示した下札が吊下げ固定されることが従来より行われてきた。しかしながら、従来の下札には図５や「特許文献１」に示すようにその衣服の製造年月日や製造年月が表示されているものはない。この製造年月日等が表示されなかった１つの理由としては、販売される衣服が常に最近製造されたもののみに限定されない業界の諸々の理由によるものであり、販売側としても製造年月日等を明示したしない色々の理由があったためである。一方、購入者側は当然、最近製造した新品を購入することを希望するが、製造年月日等が明示されていないため、購入対象衣服は新しいものと判断して購入している。勿論、業界側の都合により、古いものを販売したければならない事情もあり、これを無視することは難しいが、少なくとも古いものは販売時に当り、殺菌，清浄化等の特別の処置が必要であり、かつ販売価格についても製造年月日等を勘案したものにする必要性がある。よって、販売側や購入側の両者において、販売店の諸々のトラブルをさけるためには製造年月日等を明示する必要がある。
【０００４】
製造年月日等を下札に表示することは勿論１つの手段であるが、下札は通常紐等により衣服に吊下げ固定されるもので外部から容易に目視できる便利性はあるが、これを抹消させるトラブルが発生する危険性がある。一方、衣服には縫直しが殆どが不可能な部位、例えば、両玉や片玉の部分が多く存在しているため、これ等の部位に製造年月日等を表示又は記録したプレートを縫合又は収納すれば、製造年月日等を抹消するような不具合は生じない。また、これ等の部位に縫合又は収納されていても、現在の検出手段により、外部から容易に検出することができる。
【０００５】
本発明は、以上の事情に鑑みて発明されたものであり、衣服の表示項目や製造年月日等を表示又は記録したプレートを取外しや抹消不可能の衣服の部位に縫合又は収納してトラブルの発生防止と製造年月日の明示による販売後のトラブルを解消し得る衣服情報表示記録プレートを提供することを目的とする。
【課題を解決するための手段】
【０００６】
本発明は、以上の目的を達成するために、請求項１の発明は、衣服の外部より目視不能の部位に縫合又は収納されている表示プレートであって、該表示プレートは、その衣服の内容を特定する表示項目（品質，品番，サイズ，製造元，価格，特徴，使用上の注意等）と共にその製造年月日又は製造年月が表示又は記録されていることを特徴とする。
【０００７】
また、請求項２の発明は、前記表示項目が製造年月日又は製造年月が外部より検出可能の手段により形成されるものであることを特徴とする。
【０００８】
また、請求項３の発明は、前記表示記録プレートがＩＣチップであることを特徴とする。
【０００９】
また、請求項４の発明は、前記表示記録プレートの衣服への縫合や収納が、衣服の両玉や片玉の如き縫直し不可能の部位に行われていることを特徴とする。
【発明の効果】
【００１０】
本発明の請求項１の衣服情報表示記録プレートによれば、衣服の外部より見えない部位に縫合又は収納され、そのプレートには製造年月日等が表示又は記録されているため、その衣服の製造年月日等がわかると共に、その取外しや抹消を確実に防止することができる。
【００１１】
また、本発明の請求項２の衣服情報表示記録プレートによれば、前記プレートは外部から目視できない位置に縫合又は収納されているが、既存の検出手段により容易にその内容が検出できる形態のものからなり、製造年月日等はそのままの状態で正確にわかる。
【００１２】
また、本発明の請求項３の衣服情報表示記録プレートによれば、プレートがＩＣチップからなるため、製造年月日等のみならず表示項目やその他の多くの情報を記録することができる。これにより、従来の下札に較べて極めて多くの情報を記憶することができる。
【００１３】
また、本発明の請求項４の衣服情報表示記録プレートによれば、表示記録プレートの縫合収納位置を縫直し不可能の両玉や片玉の部位に設けるため、そのプレートの取出しやその内容の抹消を完全に防ぐことができる。
【発明を実施するための最良の形態】
【００１４】
以下、本発明の衣服情報表示記録プレートの実施の形態を図面を参照して詳述する。図１の衣服情報表示記録プレート１はこの概要構造を表示するものであり、台板４に衣服に関して必要な各種の表示項目３と製造年月日２（又は製造年月）を表示又は記録したものからなり、単なる小型のプレートでもよいが、ＩＣチップからなるものが望ましい。ＩＣチップを用いることにより、極めて多くの情報を記録することができる。
【００１５】
図２は製造年月日２を特にバーコード２ａで表示したものであり、セキュリティの保護ができると共に、外部から検出可能のものであり、衣服情報表示記録プレート１の縫合や収納場所によっては効果的のものである。
【００１６】
本発明の衣服情報表示記録プレート１は前記のように衣服の外部から目視できない部位に縫合又は収納されるが、最もよい場所としては図３に示す両玉５や図４に示す片玉６の位置が挙げられる。洋服等の場合は、例えばポケットまわりに両玉５の部分があり、肩の部分に片玉６が必ずある。この両玉５や片玉６は縫直しが難しい場所であり、もし縫直しをした場合はその洋服は新品としては取り扱いされない。よって、両玉や片玉の位置に本発明の衣服情報表示記録プレート１を縫合又は収納する事により、衣服情報表示記録プレート１の収納の安全性が一層確保される。
【産業上の利用可能性】
【００１７】
以上の説明では本発明の衣服情報表示記録プレートは衣服を対象としたものであるが、勿論衣服に限定するものではなく製造年月日の表示や記録を必要とするその他のものに適用され、その利用範囲は広い。
【図面の簡単な説明】
【００１８】
【図１】本発明の衣服情報表示記録プレートの概要構造を説明するための模式的平面図。
【図２】製造年月日（製造年月）をバーコードで表示した本発明の衣服情報表示記録プレートの概要構造を示す模式的平面図。
【図３】本発明の衣服情報表示記録プレートが縫合又は収納される衣服の両玉の部分を示す模式的平面図。
【図４】本発明の衣服情報表示記録プレートが縫合又は収納される衣服の片玉の部分を示す模式的部分平面図。
【図５】従来使用されている下札を示す平面図。
【符号の説明】
【００１９】
１    衣服情報表示記録プレート
２    製造年月日（製造年月）
２ａ  バーコード
３    表示項目
４    台板
５    両玉
６    片玉
【図１】
2006146130.tif 000003
【図２】
2006146130.tif 000004
【図３】
2006146130.tif 000005
【図４】
2006146130.tif 000006
【図５】
2006146130.tif 000007